(57)【要約】【課題】  自己の席から、被検知対象者が在席していることを確実に把握できる簡単便利な手段を提供する。【解決手段】  在席確認システムは、ｗｗｗブラウザを備えた端末装置１（例えばパーソナルコンピュータ）と、複数のＷｅｂコンテンツデータ（コンテンツＡ,コンテンツＢ,コンテンツＣ）が格納されたＷｅｂコンテンツ格納部３と、被検知対象者の在席情報を取得する外部情報入力部５と、外部情報入力部５からの出力によって端末装置１に送信するコンテンツデータを選択するＷｅｂコンテンツ送信判定部６とを備えたＷｅｂサーバ２を備え、Ｗｅｂコンテンツ送信判定部６は、外部情報入力部５において取得された外部情報に従って送信するＷｅｂコンテンツデータを選択し、ネットワーク部４を介して閲覧要求のあった端末装置１に送信する。【選択図】  図３
2005038326.tif 000002
【特許請求の範囲】
【請求項１】
ネットワークを介してＷｅｂコンテンツの閲覧要求があった場合に、Ｗｅｂサーバ内のＷｅｂコンテンツデータを要求元に送信するためのＷｅｂコンテンツデータ送信制御方法であって、
前記Ｗｅｂサーバは、閲覧要求とは異なる第二の入力情報に応じてＷｅｂコンテンツを切り替えて送信することを特徴とするＷｅｂコンテンツデータ送信制御方法。
【請求項２】
前記第二の入力情報は、閲覧要求者と離れた被検知対象者の在席情報であることを特徴とする請求項１に記載のＷｅｂコンテンツデータ送信制御方法。
【請求項３】
ＷＷＷブラウザを備えた端末装置と、ネットワークを介してＷｅｂコンテンツの閲覧要求があった場合に、要求元にＷｅｂコンテンツデータを送信するＷｅｂサーバと、閲覧要求者と離れた被検知対象者の在席情報を検知する在席検知手段を備え、
閲覧要求者の閲覧要求があれば、前記在席検知手段の検知結果に応じて選択されたＷｅｂコンテンツが、前記Ｗｅｂサーバから端末装置に送信されることを特徴とする在席確認システム。
【請求項４】
被検知対象者に割り当てられた端末装置の電源入力状態を検知する電源入力検知手段をさらに備えたことを特徴とする請求項３に記載の在席確認システム。
【請求項５】
前記在席検知手段が閲覧要求者の要求によって被検知対象者の存否を確認した後に被検知対象者の着席を検出すると、閲覧要求者に対して電子メールを送信するメール送信手段を備えたことを特徴とする請求項３または４のいずれかに記載の在席確認システム。
【請求項６】
前記在席検知手段が閲覧要求者の要求によって被検知対象者の存否を確認した後に、外部入力情報に応じて閲覧要求者に対して送信するＷｅｂコンテンツデータを更新して、該Ｗｅｂコンテンツデータを当該閲覧要求者に対して送信する送信コンテンツ自動更新手段を備えたことを特徴とする請求項３〜５のいずれかに記載の在席確認システム。
【請求項７】
閲覧要求者の閲覧要求の有無にかかわらず、前記在席検知手段によって被検知対象者の存在が確認されると、閲覧要求者に対して送信するＷｅｂコンテンツデータを更新するコンテンツデータ更新手段を備えたことを特徴とする請求項３〜６のいずれかに記載の在席確認システム。
【請求項８】
複数人の被検知対象者の在席情報が検知可能であることを特徴とする請求項１〜７のいずれかに記載の在席確認システム。
【発明の詳細な説明】
【技術分野】
【０００１】
本発明は、Ｗｅｂコンテンツデータ送信制御方法および在席確認システムに関するものである。具体的には、ｗｗｗコンテンツを利用して、被検知対象者の着席状況をネットワークを介して簡単に知ることを可能にするシステムに関する。
【背景技術】
【０００２】
会社の事務所などで、ある人が今、席にいるかどうか知りたい場合がある。例えば、他の部署にいる人に捺印をもらいに行く場合などである。この場合、次のような方法でその人が席にいるのかどうか確認する。
【０００３】
例えば、特開平１１−２３２１９８号公報に開示されているように、各自の席から遠目で見てその人（被検知対象者）を目視する方法や、電話を利用して予めその人がいることを確認する方法がある。また、座席にセンサやスイッチを取り付け、ランプの点灯や電光掲示板への表示にて在席状況を知らせる方法などがある。
【特許文献１】特開平１１−２３２１９８号公報
【発明の開示】
【発明が解決しようとする課題】
【０００４】
しかしながら、直接、対象者を目視する方法では確認できる人の範囲に制限がある。また、ランプの点灯や電光掲示板を利用する方法では、ランプや電光掲示板の設置位置によっては視線が遮られてしまう場合がある。電話を利用する方法では、その都度電話を掛ける操作が必要であり、けっこう面倒なものである。
【０００５】
本発明は上記の背景技術の問題点に鑑みてなされたものであって、本発明の目的のするところは、自己の席から、被検知対象者が在席していることを確実に把握できる簡単便利な手段を提供することにある。
【課題を解決するための手段】
【０００６】
本発明のＷｅｂコンテンツデータ送信制御方法は、ネットワークを介してＷｅｂコンテンツの閲覧要求があった場合に、Ｗｅｂサーバ内のＷｅｂコンテンツデータを要求元に送信するためのＷｅｂコンテンツデータ送信制御方法であって、前記Ｗｅｂサーバは、閲覧要求とは異なる第二の入力情報、例えば被検知対象者の着席状況に応じてＷｅｂコンテンツを切り替えて送信することを特徴としている。
【０００７】
また、本発明の着席確認システムは、上記本発明のＷｅｂコンテンツデータ送信制御方法を利用したシステムであって、ＷＷＷブラウザを備えた端末装置と、ネットワークを介してＷｅｂコンテンツの閲覧要求があった場合に、要求元にＷｅｂコンテンツデータを送信するＷｅｂサーバと、閲覧要求者と離れた被検知対象者の在席情報を検知する在席検知手段を備え、閲覧要求者の閲覧要求があれば、前記在席検知手段の検知結果に応じて選択されたＷｅｂコンテンツが、前記Ｗｅｂサーバから端末装置に送信されることを特徴としている。
【発明の効果】
【０００８】
本発明によれば、ｗｗｗブラウザの閲覧要求によって、閲覧要求とは異なる第二の外部入力、例えば各種センサによって得られた被検知対象者の在席情報に応じて切り替えられたＷｅｂコンテンツが、ｗｅｂサーバから送信されてくるので、ｗｗｗブラウザを通じて被検知対象者の在席状況を確認できる。
【発明を実施するための最良の形態】
【０００９】
以下、各図に従って本発明について詳細に説明する。
【００１０】
図１は本発明のＷｅｂコンテンツデータ送信制御方法を実施するためのシステム図、図２は当該制御方法を示す概念図である。このシステムは、ｗｗｗブラウザを表示する端末装置１、例えばパーソナルコンピュータと、当該端末装置１とネットワークで接続されたＷｅｂサーバ２を備える。Ｗｅｂサーバ２は、複数のＷｅｂコンテンツデータ（例えばコンテンツＡ,コンテンツＢ,コンテンツＣなど）を記憶している。このＷｅｂサーバ２は、例えば、センサやスイッチなどによるオンオフ情報など、端末装置１から送信される閲覧要求とは異なる外部入力情報によって、送信するコンテンツを切り替える。
【００１１】
このシステムにおいては、図２に示す手順により、端末装置１のｗｗｗブラウザ上に所定のコンテンツが表示される。まず、閲覧要求者は、端末装置１のｗｗｗブラウザからＷｅｂサーバ２にアクセスして、Ｗｅｂコンテンツの送信要求を行う。Ｗｅｂサーバ２はこの送信要求を受けると外部入力情報を判断して、送信するＷｅｂコンテンツを選択し、当該選択したＷｅｂコンテンツを端末装置１に送信する。閲覧要求をした端末装置１上のｗｗｗブラウザは、送信されてきたＷｅｂコンテンツを表示する。
【００１２】
切り替えて送信するＷｅｂコンテンツデータは、Ｗｅｂコンテンツを構成するコンテンツデータ全体であっても、Ｗｅｂコンテンツを構成するコンテンツデータの一部分、例えば画像データの一部分、文字データの一部分であってもよい。
【００１３】
このシステムでは、閲覧要求者は端末装置１上に表示されたＷｅｂコンテンツによって、どのような外部情報が入力されたのか知ることができる。この外部入力情報には、例えばセンサやスイッチのオンオフ情報が利用できる。従って、以下に説明するように、特定人の在席状況をセンサ等のオンオフ情報として検出すれば、検知要求者（閲覧要求者）から離れたところに居る特定人が在席しているかどうか、端末装置１のブラウザを閲覧することによって簡単に判断することができる。
【００１４】
図３は外部入力情報として被検知対象者の在席情報を利用した本発明の在席確認システムの構成図である。在席確認システムは、ｗｗｗブラウザを備えた端末装置１（例えばパーソナルコンピュータ）と、当該端末装置１とネットワークで接続されたＷｅｂサーバ２とを備える。Ｗｅｂサーバ２は、複数のＷｅｂコンテンツデータ（コンテンツＡ,コンテンツＢ,コンテンツＣ）が格納されたＷｅｂコンテンツ格納部３と、被検知対象者の在席情報を取得する外部情報入力部５と、外部情報入力部５からの情報によって端末装置１に送信するコンテンツデータを選択するＷｅｂコンテンツ送信判定部６とを備える。Ｗｅｂコンテンツデータは、入力された外部情報に対応している。例えば、ＷｅｂコンテンツＡには在席を示すコンテンツデータが、ＷｅｂコンテンツＢには不在を示すコンテンツデータが格納される。
【００１５】
このシステムでは、検知要求者は、端末装置１のｗｗｗブラウザからＷｅｂサーバ２にアクセスして、Ｗｅｂコンテンツの送信要求を行う。具体的には、在席確認システムのＵＲＬにアクセスする。Ｗｅｂコンテンツ送信判定部６は、外部情報入力部５において取得された外部情報に従って、送信するＷｅｂコンテンツデータを選択し、ネットワーク部４を介して閲覧要求のあった端末装置１に送信する。例えば、閲覧要求時に被検知対象者が在席していれば、Ｗｅｂサーバ２は在席していることを示すＷｅｂコンテンツＡを選択して、当該コンテンツデータを送信する。また、不在であれば、Ｗｅｂサーバ２は不在であることを示すＷｅｂコンテンツＢを選択して、当該コンテンツデータを送信する。
【００１６】
被検知対象者の在席情報を取得するための在席検知手段としては、種々の手段が考えられる。図４に示す在席確認システムでは、温度センサから構成された人体温度検知部５ａが備えられている。人体温度検知部５ａは被検知対象者の着座位置近傍に設置され、例えば椅子の着座面や背もたれ近傍の温度を測定する。外部情報入力部５は、この人体温度検知部５ａの測定結果から、被検知対象者の在席状況を判断している。
【００１７】
図５に示す在席確認システムでは、距離センサから構成された距離測定部５ｂが備えられている。距離測定部５ｂは、被検知対象者の近傍に設置され、例えば椅子の着座面までの距離や背もたれまでの距離を絶えず測定している。外部情報入力部５は、距離測定部５ｂが測定した距離から、被検知対象者の在席状況を判断している。
【００１８】
図６に示す在席確認システムでは、温度センサから構成された人体温度検知部５ａと距離センサから構成された距離測定部５ｂが備えられている。外部情報入力部５は、人体温度検知部５ａで得られた温度と距離測定部５ｂで得られた距離とから、被検知対象者の在席状況を判断している。測定方法の異なる複数の検知手段が用いられているので、在席状況をより確実に把握でき、誤認定の少ないシステムが構築される。
【００１９】
これらのシステムにおける在席検知手段は、人体の存否を把握できるものであれば、用いられるセンサの種類なども制限されるものではない。例えば温度センサとしては、焦電型センサが挙げられる。
【００２０】
図７は当該焦電型センサが用いられた在席確認システムにおける外部情報入力部５のブロック図である。焦電型センサ７は、センサ視野内での人体の動きによって生じた赤外線エネルギー量の分布変化を検出する。外部情報入力部５は当該分布変化から人体の動きを検出して、被検知対象者の在席状況を判断する。従って、被検知対象者が着席したままで動かない場合には人体の存否を検出できず、外部情報入力部５は判断不明の状況に陥る恐れがある。図７に示す外部情報入力部５はこの状況を避けるために構成されたものである。この外部情報入力部５は、焦電型センサ７と、検知継続タイマ８ａと検知継続時間変更タイマ８ｂとからなるタイマ制御部８を備え、焦電型センサ７の出力変化とタイマ制御部８における２つのタイマ動作とから人体の存否を判断している。すなわち、焦電型センサ７からの出力値が変化するタイミングを検知することによって、被検知対象者の存否を判断する。
【００２１】
検知継続タイマ８ａは、定められた一定の時間経過を測定しており、その測定中に焦電型センサ７からのオン信号を検知すれば、外部情報入力部５は検知判定信号をオンで出力する。そして、焦電型センサ７からのオン出力で時間経過をリセットして再測定の開始を繰り返す。これにより、焦電型センサ７からのオン信号に対して検知継続タイマ８ａは常に作動中であり、検知判定信号のオン状態が継続される。検知継続時間変更タイマ８ｂも、定められた一定の時間経過を測定しており、その測定中に焦電型センサ７のオン出力の如何にかかわらず一定時間を経過すれば、リセットして再測定を開始する。そして、一定時間を経過した際に、検知継続タイマ８ａが動作していれば、検知継続タイマ８ａのリセット時間を変更する。
【００２２】
図８は、当該外部情報入力部５における動作の一例を示す説明図であって、被検知対象者が離席している状態（不在状態）から着席した状態を示す。焦電型センサ７は人体の動きに合わせてオン信号を単発的に出力する。検知継続タイマ８ａには初期設定として例えば１０秒の測定時間が設定されている。また、検知継続時間変更タイマ８ｂには初期設定として例えば３０秒の測定時間が設定されている。まず、双方のタイマ８ａ,８ｂが停止している状態（不在状態であり、検知判定信号はオフ）で、焦電型センサ７からオン出力があると（時刻ｔ１）、検知継続タイマ８ａおよび検知継続時間変更タイマ８ｂは、それぞれ経過時間の測定を開始する（カウントダウン、カウントアップのいずれでも構わない）。このとき、外部情報入力部５は検知判定信号をオンとして出力する。次に、検知継続タイマ８ａが作動中（動作開始後１０秒以内）に焦電型センサ７からオン出力があると（時刻ｔ２）、検知継続時間変更タイマ８ｂの作動中であるので、外部情報入力部５は検知判定信号を引き続きオンとして出力する。そして、検知継続タイマ８ａは経過時間をリセットして再びカウントダウンを開始する。さらに、検知継続タイマ８ａが作動中に焦電型センサ７からオン出力があると（時刻ｔ３）、このときも検知継続時間変更タイマ８ｂの動作中であるので、外部情報入力部５は検知判定信号を引き続きオンとして出力する。このように、検知継続時間変更タイマ８ｂが動作をしている間では、焦電型センサ７の出力如何にかかわらず、検知判定信号がオンで出力され、被検知対象者が着席していると判断できる。着席状態であれば、比較的多い頻度にて焦電型センサ７からオン出力があるからである。
【００２３】
今度は、図９に示すように、検知継続時間変更タイマ８ｂが動作中に、検知継続タイマ８ａが停止した場合には、外部情報入力部５は被検知対象者が離席したと判断して検知判定信号をオフにする。その後、離席状態が続くと、検知継続タイマ８ａおよび検知継続時間変更タイマ８ｂともに停止し、検知判定信号はオフの状態で維持される。そして、次に、焦電型センサ７からオン出力があると初期状態に戻って、外部情報入力部５は検知判定信号をオンとして出力する。
【００２４】
また、図１０に示すように、検知継続タイマ８ａが動作中に検知継続時間変更タイマ８ｂが停止した場合には（時刻ｔ３から時刻ｔ４の間）、検知継続タイマ８ａに新たな別な測定時間（図中では３０秒の測定時間＝検知継続時間変更タイマ８ｂに設定されている測定時間）が設定される。そして新たな測定時間内に焦電型センサ７からのオン出力がないと、被検知対象者が離席していると判断して検知判定信号をオフとして出力する。なお、図１０では、検知継続タイマ８ａが動作中であるので検知判定信号はオンの状態である。その後、検知継続タイマ８ａが停止すれば、検知継続時間変更タイマ８ｂが停止中であるので検知判定信号はオフとなり、再び当初の測定時間（１０秒の測定時間）が設定されて、初期状態に戻る。外部情報入力部５は、このようにして被検知対象者の離席状態から着席状態を検知している。また、この実施形態においては、検知継続時間変更タイマ８ｂの作動により検知継続タイマ８ａの測定時間を変更している。これにより、不在から着席時には人体が大きく動作するが、着席をしつづけているときは動作が小さくなり不在として誤判断する危険が少なくなっている。
【００２５】
図１１に示す在席確認システムでは、超音波センサから構成された超音波センサ部５ｃが備えられている。超音波センサ部５ｃは、被検知対象者の近傍に設置され、超音波送信部（図示せず）から被検知対象者に向けて超音波を発射し、反射された超音波を受信部（図示せず）で検出して、被検知対象者の在席状況を判断している。このように超音波を利用して、被検知対象者の在席状況を判断することも可能である。
【００２６】
図１２に示す在席確認システムでは、さらに被検知対象者の着席状況を知るためにスイッチ入力部５ｄが在席検知手段として備えられている。このスイッチ入力部５ｄは、電気回路を利用したものであって、例えば椅子の着座面に設置された感圧スイッチや被検知対象者の手動による電源スイッチなどが挙げられる。後者による電源スイッチでは被検知対象者自らの操作が必要となるため誤判定の原因となりやすい。従って、本発明においては、前者のように被検知対象者の着座動作によって検出できる手段が好適である。
【００２７】
図１３に示す在席確認システムでは、上記の各システムに加えてさらに電源入力判定部９を備えている。この電源入力判定部９は、被検知対象者に割り与えられた図示しない端末装置（例えばパーソナルコンピュータ）の電源入力がオンであるか否かを検知している。
【００２８】
Ｗｅｂコンテンツ送信判定部６は、当該電源入力判定部９からの出力を加味して、送信するＷｅｂコンテンツを選択している。すなわち、電源入力判定部９からの出力がオンの場合に、Ｗｅｂサーバ２は外部情報入力部５からの入力に応じてＷｅｂコンテンツを切り替えて送信する。もちろん、電源入力判定部９からの出力がオフであれば、Ｗｅｂサーバ２は電源入力がオフであるとしてそれに応じたＷｅｂコンテンツを送信する。
【００２９】
この電源入力判定部９として、具体的に例示すると、例えばＩＣＭＰ（Internet Control Message Protocol）のｐｉｎｇコマンドが利用される。ｐｉｎｇコマンドは、ネットワーク上のＩＰアドレスを持った装置に対してコマンドを発行し、そのレスポンスを検出するものである。従って、被検知対象者の端末装置は、検知要求者（閲覧要求者）の端末装置１とネットワークで接続され、被検知対象者固有のＩＰアドレスが設定されている必要がある。
【００３０】
この手順を図１４に従って説明すると、まず、検知要求者の端末装置１からｐｉｎｇコマンドを被検知対象者の端末装置に送信する。対象装置からの返答があれば、被検知対象者の端末装置１の電源はオンであると判断される。また、返答がなく所定時間経過してタイムアウトとなれば、被検知対象者の端末装置の電源はオフであると判断される。
【００３１】
このように被検知対象者に割り当てられた端末装置の電源入力を確認するようにしておくと、着席状況だけでなく会社などへの出勤状況も把握でき、一時的な不在なのかどうかも判断できる。
【００３２】
図１５のシステムでは、Ｗｅｂサーバ２は、外部入力情報によって送信するコンテンツを切り替えるＷｅｂコンテンツ送信判定部６の他にメール送信部１０を備えている。外部情報入力部５は、被検知対象者の在席離席状況だけでなく、離席したことや着席したことへの状況変化を検出することもできる。このメール送信部１０は、不在から着席への状況変化を検出して、ネットワーク部４から予め設定されている閲覧要求者のメールアドレスに対して被検知対象者が着席したことをe-mailにて送信する。閲覧要求者のメールアドレスは、閲覧要求時に被検知対象者が不在であった場合に、メール送信部１０に設定される。
【００３３】
この在席確認システムでは、閲覧要求者は不在確認後、閲覧要求者の着席情報をe-mailにて知ることができる。この結果、メールの配信と同時に被検知対象者を訪ねていくこともできる。もちろん、念のために、再度閲覧要求を行って在席確認をしてもよい。
【００３４】
なお、外部入力情報部５は、不在状態から着席したことの状況変化や着席した状態からを検知することも可能であるので、離席したことをe-mailにて閲覧要求者に知らせるようにしてもよい。
【００３５】
図１６に示す在席確認システムでは、Ｗｅｂサーバ２に格納されたコンテンツに、コンテンツの自動更新を行うプログラム（自動更新手段）１１が設定されている。ｗｗｗブラウザは、閲覧要求したＷｅｂコンテンツを一度表示すれば自動更新されることがなく、閲覧請求者の要求がなければ同じコンテンツが表示されたままである。そこで、このシステムでは、ブラウザ上に表示させるコンテンツを自動更新させることにより、再度の閲覧要求を不要にしている。
【００３６】
当該自動更新手段１１として、例えば、送信されたＷｅｂコンテンツデータに、Ｗｅｂサーバ２に対してＷｅｂコンテンツの再送要求をＷｅｂサーバ２に向けて送信するプログラムを格納しておくことが挙げられる。このプログラムは、当該Ｗｅｂコンテンツがブラウザ上に表示された後、タイマによって一定時間ごとにＷｅｂサーバ２に対して閲覧要求を行う。
【００３７】
なお、自動更新手段１１として、外部情報入力部５において離席状態から在席状態に変わったのを検知して、閲覧要求を送信するプログラムをＷｅｂコンテンツデータに設定することも考えられる。
【００３８】
図１７に示すシステムでは、外部情報入力部５の他に外部情報格納部１２が備えられている。外部情報格納部１２は、検知要求者からの閲覧要求とは無関係に、外部情報入力部５からの出力を記憶し、被検知対象者の着席状況を格納している。そして、Ｗｅｂコンテンツ送信判定部６は、この外部情報格納部１２に格納された着席状況に応じてＷｅｂコンテンツ格納部３から送信するコンテンツデータを選択して端末装置１に送信する。
【００３９】
このシステムにおいては、外部情報入力部５からの入力を待つことなく直ちに送信するＷｅｂコンテンツが選択されるので、検知要求者からの閲覧要求に対して高速に対応できる。
【００４０】
これまで説明したシステムは、被検知対象者が一人であることを前提にしたものであったが、複数の被検知対象者を対象とするシステムも構築することができる。図１８は、複数の被検知対象者を対象にしたシステムの一例を示す構成図である。
【００４１】
ここでは、被検知対象者ごとに、Ｗｅｂサーバ２と上記のような在席検知手段（図示せず）とが備えられた被検知対象者端末Ｂ,Ｃ,Ｄが各被検知対象者Ｂ,Ｃ,Ｄに割り当てられている。各被検知対象者端末Ｂ,Ｃ,Ｄはそれぞれ固有のＵＲＬを持っており、被検知対象者端末Ｂと、被検知対象者端末Ｃ,Ｄとは親機子機の関係をなしている。そして、被検知対象者端末Ｂには、子機情報としてリンクされている被検知対象者リストが格納され、相互にリンクが貼られている。
【００４２】
このシステムでは、検知要求者は、端末装置１から、まず親機である被検知対処者端末ＢのＵＲＬへアクセスする。当該端末Ｂは端末装置１に対して被検知対象者リストを送信し、検知要求者は当該リストから、在席を確認したい被検知対象者を選択する。被検知対象者、例えばＣが選択されると、被検知対象者端末Ｃにリンクされ、被検知対象者Ｃの在席状況を示すＷｅｂコンテンツが端末装置１Ａのブラウザ上に表示される。
【００４３】
このシステムでは、親機となる被検知対象者端末Ｂにリンクされる形で子機となる被検知対象者端末Ｃ,Ｄ,Ｅ・・・が備えられるので、相互のリンク接続が簡単にでき、複数人に対応した在席確認システムが簡単に構築できる。もちろん、複数の被検知対象者端末Ｂ,Ｃ,Ｄ,・・・を備え、検知要求者Ａがそれぞれの端末Ｂ,Ｃ,Ｄ,・・・のＵＲＬに直接アクセスするようにしてもよい。
【００４４】
以上説明したように、本発明は、検知要求者から目視できない位置にいる被検知対象者の在席状態を、検知要求者の手元にある端末装置から簡単に確認できる。
【図面の簡単な説明】
【００４５】
【図１】本発明のＷｅｂコンテンツデータ送信制御方法を実施するためのシステム図である。
【図２】同上の制御方法を示す概念図である。
【図３】本発明の在席確認システムの構成図である。
【図４】同上の在席確認システムの一具体例を示す構成図である。
【図５】同上の在席確認システムの別な具体例を示す構成図である。
【図６】同上の在席確認システムのさらに別な具体例を示す構成図である。
【図７】焦電型センサが用いられた外部情報入力部のブロック図である。
【図８】図７の外部情報入力部における動作の一例を示す説明図である。
【図９】同上の外部情報入力部における動作の他例を示す説明図である。
【図１０】同上の外部情報入力部における動作のさらに他例を示す説明図である。
【図１１】本発明の在席確認システムのさらに別な具体例を示す構成図である。
【図１２】本発明の在席確認システムのさらに別な具体例を示す構成図である。
【図１３】本発明の在席確認システムのさらに別な具体例を示す構成図である。
【図１４】図１３の在席確認システムにおける電源入力判定部の処理手順を示す説明図である。
【図１５】本発明の在席確認システムの別な構成図である。
【図１６】本発明の在席確認システムのさらに別な構成図である。
【図１７】本発明の在席確認システムのさらに別な構成図である。
【図１８】本発明の在席確認システムのさらに別な構成図である。
【符号の説明】
【００４６】
１  端末装置
２  Ｗｅｂサーバ
５  外部情報入力部
５ａ  人体温度センサ
６  Ｗｅｂコンテンツ送信判定部
１０  メール送信部
【図１】
2005038326.tif 000003
【図２】
2005038326.tif 000004
【図３】
2005038326.tif 000005
【図４】
2005038326.tif 000006
【図５】
2005038326.tif 000007
【図６】
2005038326.tif 000008
【図７】
2005038326.tif 000009
【図８】
2005038326.tif 000010
【図９】
2005038326.tif 000011
【図１０】
2005038326.tif 000012
【図１１】
2005038326.tif 000013
【図１２】
2005038326.tif 000014
【図１３】
2005038326.tif 000015
【図１４】
2005038326.tif 000016
【図１５】
2005038326.tif 000017
【図１６】
2005038326.tif 000018
【図１７】
2005038326.tif 000019
【図１８】
2005038326.tif 000020